(57)【要約】【課題】  下地床に通し柱を立てる際、通し柱に横架材に組み付ける際それぞれに補助材を組み付けることで、木造軸組工法の施工に際して組み付けた建物軸組に壁パネルを効率よく嵌め込むことができる。【解決手段】  厚板合板下地床４に立てる通し柱１に、添えパネル２を接合し、通し柱１に、添えパネル２の上端に載るように横架材３に組み付け、通し柱１と横架材３とから成る建物軸組に、壁パネル５を嵌め込み、更に、横架材３を支える位置に、管柱９を配置するように、管柱９を取り付けた壁パネル５を建物軸組に嵌め込む。【選択図】  図１
2007100398.tif 000002
【特許請求の範囲】
【請求項１】
厚板合板下地床（４）に立てる通し柱（１）に、添えパネル（２）を接合し、
前記通し柱（１）に、前記添えパネル（２）の上端に載るように横架材（３）を組み付け、
前記通し柱（１）と横架材（３）とから成る建物軸組に、壁パネル（５）を嵌め込み、
更に、横架材（３）を支える位置に、管柱（９）を配置するように、該管柱（９）を取り付けた壁パネル（５）を建物軸組に嵌め込む、ことを特徴とする壁パネルを用いた木造住宅用軸組工法。
【請求項２】
前記建物軸組に嵌め込む壁パネル（５）は、建築現場に搬入する以前に予め作成する、ことを特徴とする請求項１の壁パネルを用いた木造住宅用軸組工法。
【請求項３】
前記建物軸組に、大きさの異なる矩形のパネル（６）を組み合わせると共に、窓用のサッシ（８）を取り付けた一体型壁パネルを嵌め込む、ことを特徴とする請求項２の壁パネルを用いた木造住宅用軸組工法。
【請求項４】
前記壁パネル（５）の側縁に配置する前記管柱（９）は、建築現場に搬入する以前に予め接合する、ことを特徴とする請求項１の壁パネルを用いた木造住宅用軸組工法。
【請求項５】
前記通し柱（１）に接合した矩形のパネル状の添えパネル（２）は、建築現場に搬入する以前に予め接合する、ことを特徴とする請求項１の壁パネルを用いた木造住宅用軸組工法。
【請求項６】
下地床（４）に立てた通し柱（１）に横架材（３）を組み付けた建物軸組に、嵌め込む壁パネル（５）であって、
矩形のパネル（６）と、該パネル（６）の周縁部に固定された矩形の枠材（７）とから成り、
前記枠材（７）の側縁に、横架材（３）を支える管柱（９）を接合した、ことを特徴とする木造住宅用軸組工法に用いる壁パネル。
【請求項７】
大きさの異なる枠材（７）に窓用のサッシ（８）を更に取り付けた、ことを特徴とする請求項６の木造住宅用軸組工法に用いる壁パネル。
【発明の詳細な説明】
【技術分野】
【０００１】
本発明は、木造住宅の建設工法に係り、特に柱に横架材を組み付け、これに壁を嵌め込む木造住宅用軸組工法及びこれに用いる壁パネルに関するものである。
【背景技術】
【０００２】
木造住宅の建設工法の代表的な方法としては、「木造軸組工法」と「ツーバイフォー工法」が提案されている。「木造軸組工法」は、わが国昔からの伝統的な工法であり、柱、床梁、小屋梁・桁材等に比較的太い木材を使用し、筋交いも入れて住宅を支え、これに壁を付ける工法である。また、「ツーバイフォー工法」は、木材断面が２インチ×４インチの建築材（枠材）を基本としている北米の伝統工法である。このツーバイフォー工法は、柱などで建物を支える木造軸組工法に対し、枠材と合板等の面材を組み合わせた壁で建物を構成する壁式工法である。 
【０００３】
木造軸組工法は、間取りが自由にできることに特徴がある。また、窓や出入口などの開口部が大きく作れ、そのレイアウトの自由度が高いこと、増改築が容易であることなどにも特徴を有する。この木造軸組工法に関する工法や部材について種々提案されている。例えば特許文献１の特開２００３−１８４２０９の公報「木造住宅用耐震パネル」のように、矩形の構造用面材と、該面材の背面周縁部に固定された矩形の枠材とからなり、該枠材が建物軸組内に嵌め込まれ、前記面材が該軸組に固定され、前記枠材は設計寸法の軸組の内法に対し所定のクリアランスを有し、該設計寸法の軸組の変形量（横変位／高さ）がほぼ１／１００又はそれ以下で前記枠材が前記軸組に当接して構造材として機能するように前記クリアランスを形成した木造住宅用耐震パネルが提案されている。
【０００４】
この発明は、従来は構造材として考慮されていなかった軸組に嵌め込まれる枠材を、軸組が変形した段階で構造材として機能させることにより、変形に耐える最大荷重を大きくするとともに、降伏応力及び靭性を大きくし且つ所定の変形角度での荷重を大きくすることができ、十分な耐力機能が軸組変形の初期段階から効果的に得られるものである。
【特許文献１】特開２００３−１８４２０９
【発明の開示】
【発明が解決しようとする課題】
【０００５】
特許文献１では、耐震構造としては優れているが、従来の木造軸組工法を用いる工法であるために、耐震パネルを建物軸組に嵌め込むまでの作業工程、即ち下地床に柱を立て、これらの柱に横架材に組み付けて建物軸組を構成する作業工程までは熟練者の作業を必要とした。そこで、耐震パネルの建物軸組への嵌め込みまでに、不完全な工事があると建築時の強度を維持することができないという問題を有していた。
【０００６】
本発明は、かかる問題点を解決するために創案されたものである。すなわち、本発明の目的は、下地床に通し柱を立てる際、通し柱に横架材に組み付ける際のそれぞれにその補助材を組み付けることで、木造軸組工法の施工に際して組み付けた建物軸組に壁パネルを効率よく嵌め込むことができる木造住宅用軸組工法及びこれに用いる壁パネルを提供することにある。
【課題を解決するための手段】
【０００７】
本発明の工法によれば、厚板合板下地床（４）に立てる通し柱（１）に、添えパネル（２）を接合し、前記通し柱（１）に、前記添えパネル（２）の上端に載るように横架材（３）を組み付け、前記通し柱（１）と横架材（３）とから成る建物軸組に、壁パネル（５）を嵌め込み、更に、横架材（３）を支える位置に、管柱（９）を配置するように、該管柱（９）を取り付けた壁パネル（５）を建物軸組に嵌め込む、ことを特徴とする壁パネルを用いた木造住宅用軸組工法が提供される。
【０００８】
前記建物軸組に嵌め込む壁パネル（５）は、建築現場に搬入する以前に予め作成する。
前記建物軸組に、大きさの異なる矩形のパネル（６）を組み合わせると共に、窓用のサッシ（８）を取り付けた一体型壁パネルを嵌め込む。
前記壁パネル（５）の側縁に配置する前記管柱（９）は、建築現場に搬入する以前に予め接合する。
前記通し柱（１）に接合した矩形のパネル状の添えパネル（２）は、建築現場に搬入する以前に予め接合する。
【０００９】
本発明の壁パネルによれば、下地床（４）に立てた通し柱（１）に横架材（３）を組み付けた建物軸組に、嵌め込む壁パネル（５）であって、矩形のパネル（６）と、該パネル（６）の周縁部に固定された矩形の枠材（７）とから成り、前記枠材（７）の側縁に、横架材（３）を支える管柱（９）を接合した、ことを特徴とする木造住宅用軸組工法に用いる壁パネルが提供される。
大きさの異なる枠材（７）に窓用のサッシ（８）を更に取り付けた。
【発明の効果】
【００１０】
上述したように、本発明の工法では、通し柱（１）と横架材（３）とから成る建物軸組、に横架材（３）を支える位置に、管柱（９）を取り付けた壁パネル（５）を建物軸組に嵌め込むことにより軸組みを容易に完了することができる。通し柱（１）には、矩形のパネル状の添えパネル（２）を建築現場に搬入する以前に予め接合することにより、軸組みする際に、通し柱（１）を立てその添えパネル（２）に横架材（３）を容易に載せて組み付けることができる。
【００１１】
本発明の壁パネルでは、管柱（９）を取り付けた壁パネル（５）を建物軸組に嵌め込むことにより、この壁パネル（５）が十分な耐力機能を発揮することができる。このように、十分な耐力機能を有するために、窓や出入口などの開口部にすることができ、そのレイアウトの自由度が非常に高い。
【発明を実施するための最良の形態】
【００１２】
本発明は、通し柱に横架材に組み付ける際に補助材を組み付けることにより、通し柱に横架材に容易に組み付け、その建物軸組に壁パネルを効率よく組み付ける木造住宅用軸組工法である。
【実施例１】
【００１３】
以下、本発明の好ましい実施の形態を図面を参照して説明する。
図１は本発明の木造住宅用軸組工法の工程のフロー図である。図２は本発明の木造住宅用軸組工法を示す概略図であり、（ａ）は建物軸組みする状態、（ｂ）は建物軸組に壁パネルを嵌め込む状態図である。
本発明の壁パネルを用いた木造住宅用軸組工法は、工場生産とこの工場生産で生産した部品を組み立てる現場組立とからなる。軸組の建て方は従来の軸組工法と同じである。予め、工場において通し柱１に添えパネル２を接合しておく。この添えパネル２は文字通り、通し柱１を安定に立てると共に、後述するように横架材３を支える機能を有する。床組は厚板合板下地床４とし、小屋組は在来軸組工法及び枠組壁工法の小屋組を使用する。土台等の横架材３及び通し柱１は工場から搬出し、各寸法はできるだけ統一する。小屋組材も工場から搬出し、現場で組み立てる。土台はプレカットし、通常通りの仕様とする。軸組材のプレカットは極力なくすことが好ましい。
【００１４】
建設現場において、厚板合板下地床４に、添えパネル２を接合した通し柱１を立てる。次に、この通し柱１に、その添えパネル２の上端に載るように横架材３に組み付ける。
【００１５】
図３は単体の壁パネルを示す斜視図である。図４は一体型の壁パネルを示す斜視図である。
壁パネル５及び一体型壁パネル５についても、すべて工場で作成し、サッシ８等も工場で取り付ける。壁パネル５は、矩形のパネル６と、このパネル６の周縁部に固定された矩形の枠材７とから成る。壁パネル５は、片面に面材を規定の釘打ちした状態とし、外壁となるパネルの上下は横架材３に釘打ちする分はみ出させる。例えば、壁パネル５の集合体に管柱９を取り付け、４ｍ2以下の一体型壁パネル５とする。壁パネル５の枠材は３５×１０５以上の断面とする。壁パネル５同士の接合は工場で接着剤と釘打ちにより接合する。横架材３へは、規定の釘打ちを現場で行う。
【００１６】
図５は通し柱と横架材とを示す拡大説明図である。図６は通し柱と横架材とを示す拡大説明図である。
次に、通し柱１と横架材３とから成る建物軸組に、壁パネル５を嵌め込む。更に、横架材３を支える位置に、管柱９を配置するように、管柱９を取り付けた壁パネル５を建物軸組に嵌め込む。基本的には軸組を下から立ち上げていく段階で、壁パネル５も同様に1階の一体型壁パネル５から接合していく。壁パネル５による合板の隙間は現場にて埋める。
【００１７】
本発明の壁パネル５では、管柱９を取り付けた壁パネル５を建物軸組に嵌め込むことにより、この壁パネル５が十分な耐力機能を発揮することができる。このように、十分な耐力機能を有するために、窓や出入口などの開口部にすることができ、そのレイアウトの自由度が非常に高めることができる。
【００１８】
このように、本発明では通し柱１と横架材３とから成る建物軸組に、横架材３を支える位置に、管柱９を取り付けた壁パネル５を建物軸組に嵌め込むことにより、容易に載せて組み付けを完了する。通し柱１に、矩形のパネル状の添えパネル２を建築現場に搬入する以前に予め接合することにより、軸組みする際に、通し柱１を立てその添えパネル２に横架材３を容易に組み付けることができる。
【００１９】
なお、本発明は上述した発明の実施の形態に限定されず、下地床４に通し柱１を立てる際、通し柱１に横架材３に組み付ける際それぞれに補助材を組み付けることで、その建物軸組に壁パネル５を効率よく組み付けることができる方法であれば、図示したような構成に限定されず、本発明の要旨を逸脱しない範囲で種々変更できることは勿論である。
【産業上の利用可能性】
【００２０】
本発明の木造住宅用軸組工法及びこれに用いる壁パネルは、木造住宅に利用できるだけでなく、その他の倉庫、店舗等の様々な用途に利用することができる。
【図面の簡単な説明】
【００２１】
【図１】本発明の木造住宅用軸組工法の工程のフロー図である。
【図２】本発明の木造住宅用軸組工法を示す概略図であり、（ａ）は建物軸組みする状態、（ｂ）は建物軸組に壁パネルを嵌め込む状態図である。
【図３】単体の壁パネルを示す斜視図である。
【図４】一体型の壁パネルを示す斜視図である。
【図５】通し柱と横架材とを示す拡大説明図である。
【図６】通し柱と横架材とを示す拡大説明図である。
【符号の説明】
【００２２】
１  通し柱
２  添えパネル
３  横架材
４  厚板合板下地床
５  壁パネル
６  パネル
７  枠材
８  サッシ
９  管柱
【図１】
2007100398.tif 000003
【図２】
2007100398.tif 000004
【図３】
2007100398.tif 000005
【図４】
2007100398.tif 000006
【図５】
2007100398.tif 000007
【図６】
2007100398.tif 000008